(57)【要約】      （修正有）【課題】キャスタ付鞄等のように、重い鞄を持って階段を昇り降りするのは、大変な労力を必要とします。これを少しでも軽減するローラーガイド付鞄を提供する。【解決手段】ガイドベース３上にある軸受けに、セットしたローラー５を置き、それを覆うようにしたガイド本体４を組み合わせて、ローラーガイドを作る。キャスタ１７、ハンドル１３を用いて鞄を牽引する時の鞄の外装面下部に、このローラーガイドを鞄のセンターを軸に扇状に等角度で固定して、平地より階段、階段から階段のワンスッテップ間をローラーガイドのローラー５を回転させて、階段の角とローラー５とで作る２箇所の鞄の荷重接点が、スパイラル状に移動して鞄を上昇下降させる。それにより階段を昇降の労力の負担を軽減するものである。【選択図】図１
2005007109.tif 000002
【特許請求の範囲】
【請求項１】
キャスタ付の大型，中型の鞄の背面に、ローラーガイドを扇状、又は逆扇状に１対以上をキャスタよりに固定して、構成したことを特徴としたローラーガイド付鞄。
【請求項２】
ローラーガイドを扇状と逆扇状に組み合わせて固定して構成したことを特徴とした請求項１のローラーガイド付鞄。
【請求項３】
ローラーガイドの固定は、鞄本体とローラーガイドが自在ファスナーで着脱自在として、構成したことを特徴とした請求項１及び２のローラーガイド付鞄。
【発明の詳細な説明】
【０００１】
【産業上の利用分野】
本発明は、大型，中型の重い鞄で、階段を昇降する労働力を軽減する事が出来るローラーガイド付鞄に関するものである。
【０００２】
【発明が解決としようとする課題】
大きな鞄での旅行や移動の時などは、平地はキャスタ等の車輪移動で大丈夫であるが、階段では、鞄を手で持ち上げての移動がほとんどであり大変な労力がいる。鞄の両脇に複数の車輪を設けたものや、鞄の背面にガイドだけ設けたものなどはあるが、それぞれ鞄が重たくなる。又、ガイドや階段の角を傷めることや、鞄の体裁が悪い等の課題がある。
【０００３】
【課題を解決するための手段】
本発明に係るローラーガイド付鞄は、始めにローラーガイドを取り付けた事によって鞄が重くならないよう、図２，図４のように簡単な構造でシンプルにしてある。図３，図５で説明すると、ガイドベース（３）やガイド本体（４）は軽い金属でも良いが、ここではＡＢＳ樹脂を使っていて、材料は特に限定しない。干渉性のある、両端がテーパーの円筒状のローラー（５）に軸（６）が圧入あるいは接着してあって、軸（６）にはメタル（８）やオイルレスブッシュ（７）が通してある。そのセットした状態のローラー（５）をガイドベース（３）の両端に設けてある半割りの軸受けに載せる。そのローラーを覆うように、ガイドベース（３）上の軸受けに合致するようガイド本体（４）にある半割りの軸受けを合わせて、ガイドベース（３）ガイド本体（４）も噛み合わせる。ガイド本体から露出のローラー（５）は最小限度として、鞄全体の体裁を考慮する。
【０００４】
本発明の組み上がった４つのローラーガイドを図１の場合は、鞄のセンターラインを軸に４ｃ，４ｄのセンターラインで作る角度を等しくして、下を要とする扇を広げた状態で固定する。
【０００５】
図３のパッキン（２）は、鞄本体（１）に内側からネジで固定、又はネジの代わりに表からリベットで固定が可能である。実際は無しでも良いが、防水，衝撃時のクッションとして効果がある。ローラーガイド下部には、鞄の底に少しかかった当て板（１８）があり、階段での鞄の昇降時の安定を図る。下段の１対のローラーガイドは以上の如く取り付ける。上段の４ａ，４ｂで作る１対のローラーガイドも、同筒状ローラーガイド（５）の切れ目イ，ロの距離が１ｍｍ以上重なるように取り付ける。上段の場合は、当て板（１８）はなしである。キャスタ（１７）が地面又は床にある時、上段にある１対のローラーガイドのローラー（５）は確実に階段の角を捉えるよう、下段のローラーガイドより平行に上へ移動した位置で固定する。
【０００６】
平地をハンドル（１３）を握って鞄を斜めにして移動し、ほぼその姿勢で階段を昇ることが出来る。図７ハンドル（１３）を引き上げる時、始めに４ａ，４ｂのローラーが階段の角に当たり、外側に回転しながら鞄は引き上げられ、外れる手前で４ｃ，４ｄのローラーガイドのローラー（５）が同じ様に外側に回転して、鞄の荷重は階段の角とローラーとで出来る接点としてスパイラル状に滑らかに下へと移動していく。よって、階段で鞄を引き上げる労力は軽減される。又、ローラー（５）は、干渉を施しているので階段の角を傷めません。
【０００７】
階段から階段、階段から平地へと鞄を降下させる時、始めにキャスタ（１７）が階段の角から外れて当て板（１８）で少し受け、すぐ階段の角で４ｃ，４ｄのローラー（５）で鞄の荷重を受け、内側に回転しながら、４ａ，４ｄへと移動し、キャスタ（１７）は次の階段に到達する。その繰り返しで鞄を降下させる。
【０００８】
図６は、図１のローラーガイドの取り付け方１部分変えたものである。４ａ，４ｄはそのまま扇形で、４ｃ，４ｄは逆扇形に取り付け固定したものであり、鞄の昇降がより安定する。
【０００９】
図８のように、図１、図６の実施形態のローラーガイドの固定方法をネジや、リベット等の替わりに自在ファスナー（２０）を使用して、鞄本体（１）とローラーガイド（４）を着脱自在に仮着できるよう、構成したローラーガイド付鞄である。
【００１０】
【発明の効果】
請求項１〜３記載のローラーガイド付鞄は以上の説明の如く、鞄の本体に軽くてシンプルなローラーガイドを扇形、又は逆扇形に組み合わせて取り付けることによって、鞄が軽く、体裁も良く、階段での昇降時の労力の軽減が得ることができる。
【図面の簡単な説明】
【図１】本発明の実施形態の正面図である。
【図２】ローラーガイドの側面図である。
【図３】図２のＡ部側面図の拡大断面図である。
【図４】ローラーガイドの正面図である。
【図５】図４のＢ部正面図の拡大図である。
【図６】本発明の実施形態の正面図である。
【図７】図１の実施形態の側面図である。
【図８】鞄本体とローラーガイドを自在ファスナーで着脱自在を表す図である。
【符号の説明】
１  鞄本体
２  ミートパッキン
３  ガイドベース
４  ガイド本体（ローラーガイド）
５  ローラー
６  軸
７  ツバ付ブッシュ
８  メタル
９  丸ワッシャ
１０  ネジ
１１、１２  取手
１３  ハンドル
１４  ロッド
１５  ロッド収納部
１６  脚
１７  キャスタ
１８  当て板
１９  リベット
２０  自在ファスナー
２１、２２  丸穴
【図１】
2005007109.tif 000003
【図２】
2005007109.tif 000004
【図３】
2005007109.tif 000005
【図４】
2005007109.tif 000006
【図５】
2005007109.tif 000007
【図６】
2005007109.tif 000008
【図７】
2005007109.tif 000009
【図８】
2005007109.tif 000010
【手続補正書】
【提出日】平成16年6月21日(2004.6.21)
【手続補正１】
【補正対象書類名】明細書
【補正対象項目名】特許請求の範囲
【補正方法】変更
【補正の内容】
【特許請求の範囲】
【請求項１】
キャスタ付の鞄の外側に、ローラーガイドの様に摺動性のある物を扇状、又は逆扇状に一対以上をキャスタ寄りに固定して、構成したことを特徴としたローラーガイド付鞄、ショッピングカート等。
【請求項２】
ローラーガイドを扇状と逆扇状に組み合わせ固定して構成したことを特徴とした請求項１のローラーガイド付鞄、ショッピングカート等。
【請求項３】
ローラーガイドの固定は、鞄本体とローラーガイドの様に摺動性のある物が面ファスナー等の様に着脱自在として、構成したことを特徴とした請求項１及び２のローラーガイド付鞄、ショッピングカート等。
【手続補正２】
【補正対象書類名】明細書
【補正対象項目名】０００１
【補正方法】変更
【補正の内容】
【０００１】
【産業上の利用分野】本発明は、重い鞄で階段を昇降する労働力を軽減する事が出来るローラーガイド付鞄、ショッピングカート等に関するものである。


【手続補正３】
【補正対象書類名】明細書
【補正対象項目名】０００２
【補正方法】変更
【補正の内容】
【０００２】
【発明が解決としようとする課題】大きな鞄での旅行や移動の時、ショッピングの時などは、平地はキャスタ等の車輪移動で労力が少なくて大丈夫であるが、階段では鞄を手で持ち上げての異動がほとんどであり大変な労力がいる。


【手続補正４】
【補正対象書類名】明細書
【補正対象項目名】０００３
【補正方法】変更
【補正の内容】
【０００３】
【課題を解決するための手段】本発明に係るローラーガイド付鞄は、始めにローラーガイドを取り付けたことによって鞄が重くならないよう、図２、図４の様に簡単な構造でシンプルにしてある。図３、図５で説明すると、ガイドベース（３）やガイド本体（４）は軽い金属でも良いが、ここではＡＢＳ樹脂を使っていて、材料は特に限定しない。緩衝性のある、両端がテーパーの円筒状のローラー（５）に軸（６）が圧入あるいは接着、固着してあって、軸（６）にはメタル（８）やオイルレスブッシュ（７）が通してある。そのセットした状態のローラー（５）をガイドベース（３）の両端に設けてある半割の軸受けに載せる。そのローラーを覆うように、ガイドベース（３）ガイド本体（４）も噛み合わせる。ガイド本体から露出のローラー（５）は最小限度として、鞄全体の体裁を考慮する。


【手続補正５】
【補正対象書類名】明細書
【補正対象項目名】０００５
【補正方法】変更
【補正の内容】
【０００５】
図３のパッキン（２）は、鞄本体（１）に内側からネジの代わりに表からリベットで固定が可能である。このパッキンは無しでも良いが、防水、衝撃時のクッションとして効果がある。ローラーガイド（４）下部には、鞄の底に当て板（１８）が有り階段での鞄の昇降時の安定を図る。下段の一対のローラーガイドは以上の如く取り付ける。上段の４a,4bで作る一対のローラーガイド（４）も、円筒状ローラーガイド（５）の切れ目イ、ロの距離が１mm以上重なるように取り付ける。上段のローラーガイドのローラー（５）は鞄のキャスタ（１７）が地面または床にある時、確実に階段の角を捉えるように、下段のローラーガイドより平行に上に移動した位置で固定する。


【手続補正６】
【補正対象書類名】明細書
【補正対象項目名】０００６
【補正方法】変更
【補正の内容】
【０００６】
平地をハンドル（１３）を握って鞄を斜めにして移動し、ほぼその姿勢で階段を昇ることが出来る。図７ハンドル（１３）を引き上げる時、始めに４a,4bのローラーが階段の角に当たり、外側に回転しながら鞄は引き上げられ、外れる手前で４ｃ、４ｄのローラーガイドのローラー（５）が同じ様に外側に回転して、鞄の荷重は階段の角とローラー（５）とで出来る接点としてスパイラル状に滑らかに下へと移動していく。よって、階段で鞄を引き上げる労力は軽減される。又、ローラー（５）は、緩衝を施しているので階段の角を傷めません。


【手続補正７】
【補正対象書類名】明細書
【補正対象項目名】０００７
【補正方法】変更
【補正の内容】
【０００７】
階段から階段、階段から平地へと鞄を下降させるとき、始めにキャスタ（１７）が階段の角から外れて当て板（１８）で受け、すぐ階段の角で４ｃ、４ｄのローラー（５）で鞄の荷重を受け、内側に回転しながら、４a
、４ｂへと移動し、キャスタ（１７）は次の階段に到達する。その繰り返しで鞄を下降させる。


【手続補正８】
【補正対象書類名】明細書
【補正対象項目名】０００８
【補正方法】変更
【補正の内容】
【０００８】
図６は、図１のローラーガイドの取り付け方一部分変えたものである。4a,4bはそのまま扇形で，4c,4dは逆扇形に取付け固定したものであり、鞄の昇降がより安定する。


【手続補正９】
【補正対象書類名】明細書
【補正対象項目名】０００９
【補正方法】変更
【補正の内容】
【０００９】
図８のように、図１、図６の実施形態のローラーガイドの固定方法をネジやリベット等の替わりに面ファスナー（２０）を使用して、鞄本体（１）とローラーガイド（４）を着脱自在に固定できるよう、構成したローラーガイド付鞄である。


【手続補正１０】
【補正対象書類名】明細書
【補正対象項目名】図８
【補正方法】変更
【補正の内容】
【図８】鞄本体と（１）ローラーガイド（４）を面ファスナー（２０）で着脱自在を表す図である。


【手続補正１１】
【補正対象書類名】明細書
【補正対象項目名】符号の説明
【補正方法】変更
【補正の内容】
【符号の説明】
１  鞄本体              ２  ミートパッキン          ３  ガイドベース
４  ガイド本体（ローラーガイド）                    ５  ローラー
６  軸                  ７  ツバ付ブッシュ          ８  メタル
９  丸ワッシャ        １０  ネジ            １１，１２  取手
１３  ハンドル          １４  ロッド                １５  ロッド収納部
１６  脚                １７  キャスタ              １８  当て板
１９  リベット          ２０  面ファスナー    ２１，２２  丸穴